(57)【要約】【課題】本発明は心地良い温かさで常時乳房を直接温め、ほんのりとした温もりが得られると共にあたかも小動物を胸に抱いた際、その小動物の温もりが胸部を温めてリラックス状態となる如く、安心感が得られ、且つ、ストレスが発散されてセラピー効果が期待でき、更にバストのサイズ調整が可能になる乳房用発熱性シート及びそのパットを提供することを目的とする。【解決手段】少なくとも、吸湿発熱繊維が用いられて柔軟なシート本体１を形成する構造とした。またシート本体１に、放射状に溝２を複数本設け、シート本体１の中央部に乳首81よりも大きな乳首用穴３を穿設するものとするのが良い。又、乳首用穴３から切込み４が設けられたもの、或いはシート本体１に装着用両面粘着テープ５を設け、前記シート本体１の溝２及び切込み４に沿ってサイズ調整用両面粘着テープ６を設けるものとしても良い。【選択図】図１
2014069019.tif 000002
【特許請求の範囲】
【請求項１】
乳房（８）を温めるために、ブラジャーのカップ部（７）の裏面側に装着して用いるか、或いは乳房（８）に貼着して用いるものであって、少なくとも、吸湿発熱繊維が用いられて柔軟なシート本体（１）を形成したことを特徴とする乳房用発熱性シート。
【請求項２】
前記シート本体（１）に、放射状に溝（２）が複数本設けられた請求項１記載の乳房用発熱性シート。
【請求項３】
前記シート本体（１）の中央部に乳首（81）よりも大きな乳首用穴（３）が穿設された請求項１又は２記載の乳房用発熱性シート。
【請求項４】
前記乳首用穴（３）から切込み（４）が設けられた請求項３記載の乳房用発熱性シート。
【請求項５】
前記シート本体（１）に、装着用両面粘着テープ（５）が設けられた請求項１、２又は３記載の乳房用発熱性シート。
【請求項６】
前記シート本体（１）の溝（２）及び切込み（４）に沿ってサイズ調整用両面粘着テープ（６）が設けられた請求項２又は４記載の乳房用発熱性シート。
【請求項７】
乳房（８）を温めるために、ブラジャーのカップ部（７）の裏面側に装着して用いるか、或いは乳房（８）に貼着して用いるものであって、少なくとも、吸湿発熱繊維が用いられて立体裁断しシート本体（１）を形成したことを特徴とする乳房用発熱性パット。
【発明の詳細な説明】
【技術分野】
【０００１】
本発明は心地良い温かさで常時乳房を直接温める乳房用発熱性シート及びそのパットに関する。
【背景技術】
【０００２】
従来、乳房を温めるブラジャーとしては、特開２００３−２３９１０６が提案されている。これは、遠赤外線セラミックス練り込み糸から成る布地を使用し、立体裁断したブラジャーであり、且つ、それに特殊構造を有したブラジャーの提案である。この目的はバストとその周辺を温めることにより、脇のリンパの流れや血流を良くし、乳腺の働きを良くし、胃を圧迫せず、肩紐に掛かる負担を軽減し、バストを正しく包み込むようにしたものである。
【０００３】
しかしながら、特開２００３−２３９１０６は、伸縮性の小さな遠赤外線放射セラミックス練り込み繊維が使用されているので、その単価が高いため商品の定価は高価であると共に、このブラジャーは柔軟性が小さいので、やさしい感触が得られず、且つ、乳房全体を均一に接触できなくなり、乳房全体を均一に温めることができない恐れがあるものであった。
【０００４】
又、乳房に当てる扁平なシートとして、実用新案登録第３１１４６５６号「バストシート」が提案されている。これはシートに、薄型の各種の美白、スキンファーキング或いはバストアップ効果のある美肌形成剤成分を含ませるか塗布したものであると共に使い捨て用である。この目的は、バストシートを乳房に貼り付けることにより、シートに浸し込んだ若しくは塗布した各種乳液成分が乳房の皮膚に吸収され、乳房を美白、弾性を保つ又はバストアップをさせるためである。
【０００５】
しかしながら、実用新案登録第３１１４６５６号は、本願のように乳房を温める効果はなく、且つ、繰返して使用出来ないと共に目的も異なるものであった。
【先行技術文献】
【特許文献】
【０００６】
【特許文献１】特開２００３−２３９１０６号公報
【特許文献２】実用新案登録第３１１４６５６号公報
【発明の概要】
【発明が解決しようとする課題】
【０００７】
本発明は心地良い温かさで常時乳房を直接温め、ほんのりとした温もりが得られると共にあたかも小動物を胸に抱いた際、その小動物の温もりが胸部を温めてリラックス状態となる如く、安心感が得られ、且つ、ストレスが発散されてセラピー効果が期待出来る乳房用発熱性シート及びそのパットを提供することを目的とする。
【０００８】
本発明の他の目的は、バストのサイズ調整が可能となり、且つ、従来のブラジャーの立体的パットに比べ、積み重ねても嵩張らず、包装費用や輸送費及び倉庫費が安価になる乳房用発熱性シートを提供するにある。
【課題を解決するための手段】
【０００９】
本発明は上記現状に鑑みて成されたものであり、つまり、少なくとも、吸湿発熱繊維が用いられて柔軟なシート本体を形成する構造とした。またシート本体に、放射状に溝を複数本設け、シート本体の中央部に乳首よりも大きな乳首用穴を穿設するものとするのが良い。又、乳首用穴から切込みが設けられたもの、或いはシート本体に装着用両面粘着テープを設け、前記シート本体の溝及び切込みに沿ってサイズ調整用両面粘着テープを設けるものとしても良い。更に吸湿発熱繊維が用いられて立体裁断しシート本体を形成したものとしても良い。
【発明の効果】
【００１０】
請求項１のように少なくとも、吸湿発熱繊維が用いられて柔軟なシート本体（１）を形成することにより、心地良い温かさで常時乳房（８）を直接温め、ほんのりとした温もりが得られると共に、あたかも小動物を胸に抱いた際、その小動物の温もりが胸部を温めてリラックス状態となる如く、安心感が得られ、且つ、ストレスが発散されてセラピー効果が期待出来るものとなる。特に冬場に於いては、吸湿発熱繊維の布地を使用することにより、冬は暖かく、常に乳房（８）を適宜に温めることが出来るものとなるため、産婦の母乳の出具合を促進させることが可能となる共に心地良い温かさが一年中得られる。又、シート本体（１）は乳首（81）を覆うため、ノーブラの際に生じる乳首（81）の凸部が解消され、ブラジャーを使用せずに、本発明品を乳房（８）に貼着すれば、気楽にバスト用として使用出来るものとなる。更に本発明品は薄い布であるので、従来のブラジャーの立体的パットと異なり、積み重ねても嵩張らず、包装費用や輸送費及び倉庫費が安価になる。
【００１１】
請求項２のようにシート本体（１）に放射状に溝（２）を複数本設けることにより、溝（２）の隙間を縮めたり広げたりすることで、乳房（８）の大きさに対応出来るものとなるため、バストのサイズ調整が可能となり、且つ、乳房（８）全体を効率良く温めるのに適したものとなる。
【００１２】
請求項３に示すようにシート本体（１）の中央部に乳首（81）よりも大きな乳首用穴（３）を穿設することにより、乳首（81）を乳首用穴（３）から出してシート本体（１）を装着すると、敏感な乳首（81）を避け、乳房（８）全体を直接温めることができるため、胸部が効率良く温まり、あたかも小動物を胸に抱いた際の如き温もりが得られ、リラックス感や安心感が得られ、且つ、ストレスが発散されてセラピー効果が大いに期待出来るものとなる。更に産婦が本発明品を装着し、且つ、冬場に産婦が授乳する際、乳首（81）だけが外気に触れるが、乳房（８）全体はシート本体（１）によって温められた状態で授乳が行えるため、従来の如き乳房（８）をタオルや布などで覆う必要がなくなり、冬場の授乳が容易となる。
【００１３】
請求項４に示すように乳首用穴（３）から切込み（４）を設けることにより、請求項２や請求項３と同じ効果が得られると共に、バストのサイズ調整が１箇所であるので、サイズ調整が素早く且つ簡単に行えるものとなる。
【００１４】
請求項５のようにシート本体（１）に装着用両面粘着テープ（５）を設けることにより、乳房（８）とブラジャーの間にあてがって使用することができるものとなる。一方、乳房（８）に直接貼着して取付けることが可能であり、この時には直接肌にシート本体（１）を貼ることができ、ブラジャーを使用することがなく、煩わしくなく簡単に使用することができるものとなる。また装着用両面粘着テープ（５）により、装着中にシート本体（１）がよじれたりすることがなく、所定位置に固定することが出来るものとなる。
【００１５】
請求項６のようにシート本体（１）の溝（２）及び切込み（４）に沿ってサイズ調整用両面粘着テープ（６）を設けることにより、バストのサイズ調整が可能となり、しかも、装着中にシート本体（１）がよじれたりすることがなく、所定位置に固定することができ、且つ、バストのサイズ調整がより確実に行えるものとなる。
【００１６】
請求項７に示すように吸湿発熱繊維が用いられて立体裁断しシート本体（１）を形成することにより、請求項１と同様に胸部が温められてリラックス状態となるため、安心感が得られ、且つ、ストレスが発散されてセラピー効果が期待出来るものとなる。特に冬場に於いては、吸湿発熱繊維の布地を使用することにより、冬は暖かく、常に乳房（８）を適宜に温めることが出来るものとなるため、産婦の母乳の出具合を促進させることが可能となると共に心地良い温かさが一年中得られる。又、シート本体（１）は乳首（81）を覆うため、ノーブラの際に生じる乳首（81）の凸部が解消され、ブラジャーを使用せずに、本発明品を乳房（８）に貼着すれば、気楽にバスト用として使用出来るものとなる。
【図面の簡単な説明】
【００１７】
【図１】本発明の実施形態を示す斜視図である。
【図２】本発明の使用状態を示す説明図である。
【図３】別発明の実施形態を示す斜視図である。
【図４】別発明の使用状態を示す説明図である。
【発明を実施するための形態】
【００１８】
本発明の実施形態を図１、図２に基づいて説明する。（１)はブラジャーのカップ部（７）の裏面側に装着して用いるか、或いは乳房（８）に貼着して用い、乳房（８）を温めるための柔軟で薄手な布製のシート本体であり、該シート本体（１）は吸湿発熱繊維で編成して円形状に形成されるか、或いは吸湿発熱繊維素材を用いた不織布で円形状に形成させたものとしても良い。前記吸湿発熱繊維は、湿気を吸って熱を出し、心地良い温度が確保されるものである。前記吸湿発熱繊維やその薄手の布地としては、例えば、東洋紡ＡＰ事業部製のモイスケア（登録商標名）や、ユニクロ製のヒートテック（登録商標名）と同質材料などを用いるのが好ましい。尚、前記シート本体（１）の形状としては、上記の円形状に限定されるものではない。
【００１９】
（２）はシート本体（１）に放射状に４本設けられたＶ字状の溝である。尚、前記溝（２）は４本に限定されるものではない。（３）はシート本体（１）の中央部に穿設された乳首（81）よりも大きな乳首用穴である。尚、前記乳首用穴（３）は図１に示すような丸穴が好ましいが、丸穴以外でも良い。（４）は乳首用穴（３）から設けられた切込みであり、該切込み（４）は前記溝（２）よりも幅が広い略Ｖ字状とするのが好ましい。
【００２０】
（５）はシート本体（１）の表面に複数設けられた装着用両面粘着テープであり、該装着用両面粘着テープ（５）は図１（ａ）に示すように放射状に設けても良く、（ａ）以外の図のように略均等になるように４箇所に設けたものとしても良い。また前記装着用両面粘着テープ（５）は皮膚に触れてもかぶれないものを使用する。（７）はシート本体（１）の溝（２）及び切込み（４）に沿って設けられたサイズ調整用両面粘着テープであり、該サイズ調整用両面粘着テープ（６）は装着用両面粘着テープ（５）と同じ材質のものを用いると良い。尚、前記装着用両面粘着テープ（５）やサイズ調整用両面粘着テープ（６）の代りに、面ファスナーやフォックなどの係止具を用いても良い。
【００２１】
図３、図４は別発明の実施形態を示す図であり、これは、前記実施形態に比べ、シート本体（１）は吸湿発熱繊維が用いられて立体裁断し、立体的に形成した乳房用発熱性パットと成されている。このため、上記シート本体（１）が柔軟で薄手の布製に対し、このシート本体（１）は厚手の布製とするのが好ましい。他は同じである。
【００２２】
次に本発明の図１に示す乳房用発熱性シートを用いて乳房（８）を温める場合について説明する。先ず始めに図１（ａ）のシート本体（１）を用いる場合について説明する。先ず装着用両面粘着テープ（５）の図示しない剥離紙を剥がし、ブラジャーのカップ部（７）の裏面側の凹みに沿ってシート本体（１）を押し当て、シート本体（１）に皺や捩れがなるべく少なくなるように取付ける。この時、装着用両面粘着テープ（５）の代りに面ファスナーなどを用いても良い。更にはシート本体（１）をブラジャーのカップ部（７）の裏面側に縫い付けて装着させたものとしても良い。その後、シート本体（１）が内側に取付けられたブラジャーのカップ部（７）を乳房（８）に装着すると、図２（ａ）のようにシート本体（１）によって、乳首（81）と乳房（８）全体がやさしく包み込まれて覆われる。この時、敏感な乳首（81）が常時当接された状態になるため、移動するたびに乳首（81）の先端がこすれて表面の損傷や炎症などを起こす心配があった。
【００２３】
一方、図１（ａ）のシート本体（１）をブラジャーのカップ部（７）の裏面側に装着せずに直接乳房（８）へ貼着して、乳首（81）と乳房（８）全体を覆った使用方法としても良い。この時は、敏感な乳首（81）が常時当接された状態になっているが、ブラジャーの装着と異なり、乳房（８）全体が移動してもシート本体（１）が乳首（81）に押し当てた状態のまま移動するので、シート本体（１）と乳首（81）の間にはこすれが殆ど生じないものとなり、ブラジャーを使用せず、図２（ｂ）に示すようにバスト用として気楽に使用できるものとなるのである。
【００２４】
次に図１（ｂ）のシート本体（１）を用いる場合について説明する。先ず装着用両面粘着テープ（５）の図示しない剥離紙を剥がし、ブラジャーのカップ部（７）の裏面側の凹みに沿ってシート本体（１）を押し当て、シート本体（１）に皺や捩れがないように取付ける。その後、シート本体（１）が内側に取付けられたブラジャーのカップ部（７）を乳房（８）に装着すると図２（ｃ）のように、シート本体（１）によって、乳首用穴（３）から乳首（81）が出た状態で且つその周囲の乳房（８）が覆われる。この時、敏感な乳首（81）は常時当接された状態になるが、図２（ａ）の状態よりもソフトタッチとなるため、移動するたびに乳首（81）の先端がこすれて表面の損傷や炎症などを起こす恐れが殆どないものとなる。従って、敏感な乳首（81）を避け、乳房（８）全体を直接温めることができるため、胸部が効率良く温まり、あたかも小動物を胸に抱いた際の如き温もりが得られ、リラックス感や安心感が得られ、且つ、ストレスが発散されてセラピー効果が大いに期待出来るものとなる。
【００２５】
この時、特に産婦が、図１（ｂ）や図１（ｄ）のように乳首用穴（３）が穿設されたシート本体（１）を乳房（８）へ直接貼着して用いると、冬場に産婦が授乳する際、乳首（81）だけが外気に触れるが、乳房（８）全体はシート本体（１）によって温められた状態で授乳が出来るため、乳房（８）をタオルや布などで覆う必要がなくなり、冬場の授乳が容易となる。しかも乳房（８）が温められるため、乳腺の血行を促進させ、乳腺の働きを良くさせることによって、母乳の出具合が良くなるのである。
【００２６】
次に図１（ｃ）や図１（ｄ）のシート本体（１）を用いて、バストのサイズ調整が行われる場合について説明する。先ず図１（ｃ）に於いては、乳房（８）に当てて、突状に形成すると共に乳房（８）のサイズに合せる。この時、溝（２）の両側を寄せて重ねることで、乳房のサイズに対応出来るものとなるため、サイズ調整用両面粘着テープ（６）の図示しない剥離紙を剥がし、対向する一対の溝（２）を先ず始めに重ねて貼着し、他の一対の溝（２）を軽く重ねて仮貼着し、再度、乳房（８）のサイズに合せてから他の一対の溝（２）を微調整して重ねて貼着させる。尚、乳房（８）が大きい場合には、溝（２）の両側を重ねずに、その隙間を広げて調整させても良い。
【００２７】
又、図１（ｄ）に於いては、乳房（８）に当てて、突状に形成すると共に乳房（８）のサイズに合せる。この時、サイズ調整用両面粘着テープ（６）の図示しない剥離紙を剥がし、切込み（４）の両側を寄せて軽く重ね、仮貼着させ、再度、乳房（８）の大きさに合せてから切込み（４）の重ね具合を微調整してから完全に貼着させる。その後、シート本体（１）をブラジャーのカップ部（７）の裏面側に取付ける。この時、シート本体（１）を乳房（８）に直接貼着させても良い。このように、４本の溝（２）の隙間を調整、或いは１本の切込み（４）の隙間を調整することにより、乳房（８）の大きさに対応可能となるのである。尚、前記シート本体（１）は洗濯出来るので、繰返して長期間に渡って使用可能なものとなる。この時は、装着用両面粘着テープ（５）はその都度交換するか、或いは装着用両面粘着テープ（５）の代りに図示しない面ファスナーを使用すると良い。
【００２８】
次に本発明の図３に示す乳房用発熱性パットを用いて乳房（８）を温める場合について説明する。先ず始めに図３（ａ）のシート本体（１）を用いる場合について説明する。先ず装着用両面粘着テープ（５）の図示しない剥離紙を剥がし、ブラジャーのカップ部（７）の裏面側の凹みに沿ってシート本体（１）を押し当て、シート本体（１）に皺や捩れがなるべく少なくなるように取付ける。この時、装着用両面粘着テープ（５）の代りに面ファスナーなどを用いても良い。尚、この場合、装着用両面粘着テープ（５）は必ずしも必要ではない。その後、シート本体（１）が内側に取付けられたブラジャーのカップ部（７）を乳房（８）に装着すると、図４（ａ）のようにシート本体（１）によって、乳首（81）と乳房（８）全体がやさしく包み込まれて覆われる。
【００２９】
一方、図３（ａ）のシート本体（１）をブラジャーのカップ部（７）の裏面側に装着せずに直接乳房（８）へ貼着して、乳首（81）と乳房（８）全体を覆った使用方法としても良い。この時は、シート本体（１）を反転させて、装着用両面粘着テープ（５）を内側にさせた後、乳房（８）に貼着することにより、ブラジャーを使用せず、図４（ｂ）に示すようにバスト用として気楽に使用できるものとなるのである。
【００３０】
次に図３（ｂ）のシート本体（１）を用いて、バストのサイズ調整が行われる場合について説明する。先ず乳房（８）に当てて、乳房（８）のサイズに合せる。この時、サイズ調整用両面粘着テープ（６）の図示しない剥離紙を剥がし、切込み（４）の両側を寄せて軽く重ね、仮貼着させ、再度、乳房（８）の大きさに合せてから切込み（４）の重ね具合を微調整してから完全に貼着させる。その後、シート本体（１）をブラジャーのカップ部（７）の裏面側に取付ける。この時、シート本体（１）を乳房（８）に直接貼着させても良い。
【符号の説明】
【００３１】
１  シート本体
２  溝
３  乳首用穴
４  切込み
５  装着用両面粘着テープ
６  サイズ調整用両面粘着テープ
７  カップ部
８  乳房
81  乳首
【図１】
2014069019.tif 000003
【図２】
2014069019.tif 000004
【図３】
2014069019.tif 000005
【図４】
2014069019.tif 000006